(57)【要約】【課題】情報をデジタルデータとして取り込み、パーソナルデータとして手元で自由にゆっくりと閲覧することができる携帯端末装置、情報提供システム及び情報提供プログラム並びに印刷媒体を記録した記録媒体を提供する。【解決手段】携帯電話機１０は、パンフレットＢに印刷された２次元バーコード１を撮像するカメラ３３と、撮像された２次元バーコードを復元する制御部３１と、復元した２次元バーコードの情報を表示する表示部３５と、復元した２次元バーコードの情報を記憶する記憶メモリ３２とを備える。【選択図】　図１
2004126942.tif 000002
【特許請求の範囲】
【請求項１】
２次元バーコードを撮像する撮像手段と、
撮像された２次元バーコードを復元するバーコード復元手段と、
復元した２次元バーコードの情報を表示する表示手段と
を備えることを特徴とする携帯端末装置。
【請求項２】
さらに、復元した２次元バーコードの情報を記憶する記憶手段を備えることを特徴とする請求項１記載の携帯端末装置。
【請求項３】
２次元バーコード化した情報を印刷した媒体と、表示機能を有する携帯端末装置とを備える情報提供システムであって、
前記携帯端末装置は、
前記媒体に印刷された２次元バーコードを撮像する撮像手段と、
撮像された２次元バーコードを復元するバーコード復元手段と、
復元した２次元バーコードの情報を表示する表示手段と
を備えることを特徴とする情報提供システム。
【請求項４】
前記媒体は、前記携帯端末装置を備えるユーザに配布されるパンフレットであることを特徴とする請求項３記載の情報提供システム。
【請求項５】
２次元バーコードを撮像する撮像手段と、撮像された２次元バーコードを復元するバーコード復元手段と、復元した２次元バーコードの情報を表示する表示手段とを備える携帯端末装置として機能させるためのプログラムを記録したことを特徴とするコンピュータ読み取り可能な記録媒体。
【請求項６】
２次元バーコードを撮像する撮像手段と、撮像された２次元バーコードを復元するバーコード復元手段と、復元した２次元バーコードの情報を表示する表示手段とを備える携帯端末装置として機能させるためのプログラム。
【請求項７】
写真や文字等の情報を印刷した印刷媒体において、
前記印刷された写真や文字等の情報に関連する２次元バーコード化した情報を付けることを特徴とする印刷媒体。
【請求項８】
前記印刷媒体は、パンフレット、チラシ、ポスター、書籍又は書物であることを特徴とする請求項７記載の印刷媒体。
【請求項９】
前記２次元バーコード化した情報は、前記印刷された写真や文字等の情報を詳細に説明する詳細情報であることを特徴とする請求項７記載の印刷媒体。
【請求項１０】
前記２次元バーコード化した情報は、撮像機能を有する携帯端末装置で読み取り可能な情報であることを特徴とする請求項７又は９に記載の印刷媒体。
【発明の詳細な説明】
【０００１】
【発明の属する技術分野】
本発明は、デジタルカメラやカメラ付き携帯電話等の表示機能を有する携帯端末装置、情報提供システム及び情報提供プログラムを記録した記録媒体並びに印刷媒体に関する。
【０００２】
【従来の技術】
液晶パネルなどの画面表示装置や、キー入力などによる入力装置を有している昨今の携帯電話は、いわゆる電波の送受信を行う電話機としての機能のほかに、メールをやり取りできる機能や、ゲームを楽しめる機能などを備えるなど、多機能化の傾向が進んでいる。
【０００３】
近年、小型で、低消費電力のイメージセンサが開発されたことに伴い、携帯電話機などの携帯型装置にカメラを内蔵することが可能となり、内蔵カメラにより撮影した画像を、電子メールで即座に送信できることが可能となっている。これらの内蔵カメラは、小型であることが優先され、一般的なデジタルカメラよりも解像度が低い。
【０００４】
また、近年の携帯電話機は、インターネットに接続する機能を有している。インターネットに接続するには、ＵＲＬ（Ｕｎｉｆｏｒｍ　Ｒｅｓｏｕｒｃｅ　Ｌｏｃａｔｏｒ）をキーから入力する必要があり、携帯電話機のキーでは、長いＵＲＬを打ち込むために手間がかかっていた。そこで、ＵＲＬを一意の番号で管理し、その番号に対応するバーコードシンボル（以下、適宜バーコードと略称する）を印刷したものをバーコードリーダで読み込むことにより、ＵＲＬの入力の手間を省き、ユーザの使い勝手をよくする試みがなされている。このような装置では、別途バーコードリーダを携帯電話機に接続する必要がある。
【０００５】
そこで、カメラを内蔵した携帯装置では、その内蔵カメラにより入力したバーコード画像に対してバーコードを認識できれば、別途バーコードリーダを用意しなくても、このようなサービスを利用することができる。
【０００６】
例えば、特許文献１には、写真モードとＱＲコード（２次元コード）読取モードを選択設定でき、設定モードに応じた処理がなされる情報提供サービスが開示されている。また、特許文献２には、１次元コードはラインＣＣＤで処理し、２次元コードはエリアＣＣＤで処理して読取り精度を高めるコードリーダが記載されている。但し、バーコード種類に応じたカメラ画像取り込み領域の設定については記載はない。
また、特許文献３では、電話番号を２次元バーコードに置き換え、電話機に取付けたＣＣＤスキャナーでこの２次元バーコードを読み取ることが記載されている。
【０００７】
【特許文献１】
特開２００２−１１１９０９号公報（図１）
【特許文献２】
特開平９−２５９２１５号公報（図１）
【特許文献３】
特開２００１−１９７１８６号公報（図１）
【０００８】
【発明が解決しようとする課題】
上述したように、従来では、バーコードは商品等にあらかじめ印刷・貼付されており、これにバーコード・リーダをあててスキャンすることにより、コーディングされた情報を読み取る等して、主に物流面での効率化を図るためのものであった。
【０００９】
また、物流面で利用されてきたバーコードは１次元バーコードと呼ばれるもので、コード化できる情報量は少なかった。これに対し英数字及び漢字もコード化でき、より多くの情報量をコード化できる２次元バーコードが近年開発された。この２次元バーコードも情報をやり取りするためのものである。
【００１０】
また、展示会などでは、作品の説明がパンフレットとして紙に文字情報として書かれる、または展示品脇のボードなどに記載されていた。
例えば、美術館を例にとると、人気の高い美術展は非常に大勢の人で混雑しており、通常、展示品の横にある、展示品についての概要、背景及び作者等についての説明をその場でゆっくり読みながら展示品を鑑賞することが非常に困難なことがあった。
また、パンフレットなどの場合は、紙がかさばるなどの問題があった。
【００１１】
本発明は、このような課題に鑑みてなされたものであって、情報をデジタルデータとして取り込み、パーソナルデータとして手元で自由にゆっくりと閲覧することができる携帯端末装置、情報提供システム及び情報提供プログラムを記録した記録媒体並びに印刷媒体を提供することを目的とする。
【００１２】
【課題を解決するための手段】
本発明の携帯端末装置は、２次元バーコードを撮像する撮像手段と、撮像された２次元バーコードを復元するバーコード復元手段と、復元した２次元バーコードの情報を表示する表示手段とを備えることを特徴としている。
さらに、復元した２次元バーコードの情報を記憶する記憶手段を備えることがより好ましい。
【００１３】
本発明の情報提供システムは、２次元バーコード化した情報を印刷した媒体と、表示機能を有する携帯端末装置とを備える情報提供システムであって、前記携帯端末装置は、前記媒体に印刷された２次元バーコードを撮像する撮像手段と、撮像された２次元バーコードを復元するバーコード復元手段と、復元した２次元バーコードの情報を表示する表示手段とを備えることを特徴としている。
より好ましい具体的な態様として、前記媒体は、前記携帯端末装置を備えるユーザに配布されるパンフレットである。
【００１４】
また、本発明は、２次元バーコードを撮像する撮像手段と、撮像された２次元バーコードを復元するバーコード復元手段と、復元した２次元バーコードの情報を表示する表示手段とを備える携帯端末装置として機能させるためのプログラムを記録したことを特徴とするコンピュータ読み取り可能な記録媒体である。
【００１５】
本発明は、２次元バーコードを撮像する撮像手段と、撮像された２次元バーコードを復元するバーコード復元手段と、復元した２次元バーコードの情報を表示する表示手段とを備える携帯端末装置として機能させるためのプログラムである。
【００１６】
また、本発明の印刷媒体は、写真や文字等の情報を印刷した印刷媒体において、前記印刷された写真や文字等の情報に関連する２次元バーコード化した情報を付けることを特徴としている。
より好ましい具体的な態様として、前記印刷媒体は、パンフレット、チラシ、ポスター、書籍又は書物である。
【００１７】
前記２次元バーコード化した情報は、前記印刷された写真や文字等の情報を詳細に説明する詳細情報であってもよい。
前記２次元バーコード化した情報は、撮像機能を有する携帯端末装置で読み取り可能な情報であることがより好ましい。
【００１８】
【発明の実施の形態】
以下、添付図面を参照しながら本発明の好適な携帯端末装置、情報提供システム及び情報提供サービス方法の実施の形態について詳細に説明する。
【００１９】
図１は、本実施の形態の情報提供システムで用いられる２次元バーコードの読み込みと復元を説明する図である。携帯電話・ＰＤＡ等の携帯端末上で利用できるパーソナル案内に適用した例である。
【００２０】
美術館において本システムの利用を想定した例により説明する。
図１（ａ）において、Ａは美術館の入場口で配布された２次元バーコード付きパンフレット（媒体，印刷媒体）であり、ＢはそのパンフレットＡのうち、一つのパンフレットの２次元バーコード表示のイメージを拡大して示したものである（図１（ｂ）参照）。
【００２１】
図１（ｂ）に示すように、パンフレットＢには２次元バーコード１とともに、展示品の表示番号２及び作者名３、作品名４等最低限の情報が記載されている。２次元バーコード１そのものには、展示品の横にある注釈と同じ作品の概要及び作者等や時代背景、それらに類する情報がコード化されている。すなわち、パンフレットＢには、展示品の横にある注釈と同程度の詳細なメッセージが２次元バーコード化され、２次元バーコード１として予め印刷されている。
【００２２】
図１（ｃ）〜（ｅ）は、携帯電話機１０の撮影機能を使って２次元バーコードを読み込むイメージを示している。図１（ｃ）は、携帯電話機１０の撮像機能を使用し、２次元バーコード情報を読み取りしているイメージである。図１（ｄ）は携帯電話機１０の表示画面に２次元バーコードの情報がデジタルデータとして表示されているイメージである。図１（ｃ）は読み取った２次元バーコードのデジタル情報を携帯電話機１０のメモリ（後述する）に記憶させているイメージである。
【００２３】
図２は、上記基本的な考え方に基づく本発明の実施の形態の携帯端末装置の外観を示す図であり、図２（ａ）はその正面図、図２（ｂ）はその背面図である。本実施の形態の携帯端末装置は、コード読取装置をカメラ付き携帯電話機／ＰＨＳ（Ｐｅｒｓｏｎａｌ　Ｈａｎｄｙ−Ｐｈｏｎｅ　Ｓｙｓｔｅｍ）の携帯通信端末に適用した例である。
【００２４】
図２において、１０は、カメラ付き携帯電話機（携帯端末装置）であり、携帯電話機１０の本体１０ａは、無線通信を行うためのアンテナ１１、本体１０ａ背面に内蔵され対象となる画像情報を入力するカメラ１２（撮像手段）、本体１０ａ背面に内蔵され暗い場所やバーコード読み取り時にユーザ操作等により発光する小型のライト１３、受話を行うための拡声用スピーカ１４、操作のためのガイダンスや受信情報，画像やテキスト情報などの情報をカラー表示するＬＣＤ表示部１５（表示手段）、電源のＯＮ／ＯＦＦを行う電源キー１６、着信，発信，電話機能切り替え，動作決定等を行う電話機能キー１７、各種機能を切り替えるためのモードキー１８、上下左右の方向に選択対象を移動させるカーソルキー１９、カメラ１２の入力を決定するシャッターボタンであるシャッターキー２０、ライト１３をＯＮ／ＯＦＦするライトＯＮ／ＯＦＦボタン２１、電話番号の入力等ダイヤルするためのメンブレンキー（Ｍｅｍｂｒａｎｅ　ｋｅｙ）からなるダイヤルキー２２、及び音声を入力するためのマイク２３を備えて構成される。
【００２５】
カメラ１２は、携帯電話機１０に内蔵された例えば３４万画素のＣＣＤ（Ｃｈａｒｇｅ　Ｃｏｕｐｌｅｄ　Ｄｅｖｉｃｅ）（エリア型固体撮像素子）カメラである。カメラ１２は、単焦点レンズを有し、通常撮影時とバーコード読み取り時とで焦点深度が切換えられる。
【００２６】
ＬＣＤ表示部１５は、ドットマトリクス構成のカラー表示可能なＬＣＤディスプレイ，バックライトであるＰＤＰ，ＥＬ及び各ドライバ等で構成される。ＬＣＤ表示部１５には、撮影時、カメラ１２から入力される画像情報が表示され、また、コード認識が完了した場合、文字あるいはアイコンなどのメッセージにより認識結果が表示される。また、非撮影時にはダイヤルキー２２から入力された番号や、非電話機能のための各種画面、電話機能の動作状態を示すアイコン等が表示される。さらに、待機時には時刻が表示され、個人情報やシステムの状態などを表示する。
【００２７】
電源キー１６、電話機能キー１７、モードキー１８、カーソルキー１９、シャッターキー２０、ライトＯＮ／ＯＦＦボタン２１及びダイヤルキー２２は、いずれも手動で操作を行い、操作された内容を制御部３１（図３）に情報として伝達する。本実施の形態では、シャッターキー２０やライトＯＮ／ＯＦＦボタン２１を独立のキーとしているが、これらのキーの機能を他のキー（例えばモードキー１８）に割り当てる構成でもよい。
【００２８】
図３は、バーコード読み取り装置をカメラ付き携帯電話機に組込んだ場合のブロック図である。
図３において、携帯電話機１０は、ＰＤＡ（Ｐｅｒｓｏｎａｌ　Ｄｉｇｉｔａｌ　Ａｓｓｉｓｔａｎｔｓ）等の携帯情報端末やＰＨＳ／携帯電話機であり、本装置全体を制御するＣＰＵからなる制御部３１（バーコード復元手段）、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶する記憶メモリ３２（記憶手段）、対象となる画像情報を入力するカメラ３３（撮像手段）、バーコード読み取り時等にユーザ操作により発光するライト３４、文字情報や画像情報、２次元バーコードのシンボルをカラー表示する表示部３５（表示手段）、ユーザからのキー操作情報を入力生成するキー入力部３６、電波を送受信するアンテナ３７、無線通信の送受信を制御する無線部３８、音声信号を出力するスピーカ３９、ユーザから音声信号を入力するマイク４０を備えて構成される。
【００２９】
カメラ３３は、２次元バーコードシンボルを撮像する画像入力装置である。
キー入力部３６は、２次元バーコードを作成するためのメッセージ入力と、前もって設定するカラー識別データを入力する。
無線部３８は、所定のサービスサイトに無線通信でアクセスして２次元バーコードシンボルをダウンロードする。
【００３０】
制御部３１は、携帯電話機１０全体を制御するとともに、バーコード読み取り機能を有し、キー操作に基づいて、カメラ３３により撮像された２次元バーコードを復元して表示部３５に表示する制御を行う。具体的内容については、図５のフローにより後述する。
記憶メモリ３２は、不揮発性記憶メモリを備え、キー入力部３６によって入力された、カラー識別データを識別テーブルに格納する。
【００３１】
ＲＯＭは、制御部３１が動作する際に必要なプログラム、通信制御データ等の固定データを記憶する読出し専用の半導体メモリである。ＲＡＭは、バーコード認識・表示や通信に関するデータ、演算に使用するデータ及び演算結果等を一時的に記憶するいわゆるワーキングメモリとして使用される。携帯電話機１０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ　ｅｒａｓａｂｌｅ　ｐｒｏｇｒａｍｍａｂｌｅ　ＲＯＭ）からなり、ＥＥＰＲＯＭに書き込むプログラムを変えることによって、特に携帯電話機１０における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００３２】
図４は、２次元バーコードを利用したパーソナル案内を実現するための携帯電話機の機能ブロック図であり、図３の該当機能部分をブロック図で示したものである。
図４において、カメラ３３で撮影された２次元バーコードは、制御部３１のバーコード復元機能によりデジタルデータとして復元される。このデータを表示機能を使用し、文字として液晶画面に表示する。また、メモリ３２に読み取ったデータを保存することも可能である。
【００３３】
以下、上述のように構成された携帯端末機１０のパーソナル案内動作を説明する。
図５は、２次元バーコードの復元手順を示すフローチャートであり、制御部３１により実行される。また、ユーザの指示は、キー入力部３６のキー入力により行われる。図中、Ｓはフローのステップを示す。
【００３４】
２次元バーコード処理のアプリケーションがスタートすると、ステップＳ１でカメラ３３を被写体の２次元バーコードに向け、シャッターキー２０を押して２次元バーコードを撮像する。撮像データは制御部３１（図３）に情報として伝達される。ステップＳ２では、被写体が正しく撮像されたか否かを判別し、正しく撮像されていなければ、ステップＳ３で撮像できない旨のメッセージを表示部３５に表示するとともにスピーカ３９により報知してステップＳ１に戻り、再び２次元バーコードを撮像する。正しく撮像されたときは、ステップＳ４で撮像ＯＫの確認音をスピーカ３９により報知し、ステップＳ５で撮像された２次元バーコードを復元する。次いで、ステップＳ６で復元された情報を表示部３５にして本フローを終了する。
【００３５】
図６は、本実施の形態の携帯電話機１０の使用方法を説明する図であり、混雑した美術館において本システムの利用を想定した例である。
図６において、５０は混雑している美術館の展示場、６０は鑑賞しようとしている絵画、７０は絵画６０の近傍にいる多数の人、７０ａは本携帯電話機１０を携帯しているユーザである。
【００３６】
図６に示すように、人気の高い美術展は非常に大勢の人で混雑しており、鑑賞しようとしている絵画６０の横にある展示品についての概要、背景及び作者等についての説明等をその場でゆっくり読みながら鑑賞することは困難である。
【００３７】
ユーザ７０ａは、混雑している美術館５０において手元の携帯電話機１０を使い、美術館５０の入場口で配布された２次元バーコード付きパンフレットＢ（図１（ｂ）参照）の２次元バーコード１を撮像する。２次元バーコード１には、展示品の横にある注釈と同じ作品の概要及び作者等や時代背景、それらに類する情報がコード化されて印刷されている。
【００３８】
すると、図５に示すフローに従って撮像された２次元バーコード１が復元され、展示品の横にある注釈と同じ作品の概要及び作者等や時代背景等の情報が表示部３５に表示される。図１（ｄ）は携帯電話機１０の表示画面に、この情報が表示されている状態を示す。また、図１（ｃ）に示すように、保存キー操作により読み取った情報を携帯電話機１０のメモリ３２に記憶させることも可能である。
【００３９】
図６は、ユーザ７０ａが携帯電話機１０を使用して、展示品の情報をゆっくりと落ち着いて展示品を見ながら閲覧している状態を示している。このように、非常に混雑している美術館５０において、絵画６０等の展示品に自分の納得のいくまで触れることができる。また、取り込んだ情報をデジタルデータをして保存することが可能であるため、手元にてゆっくりと閲覧することが可能になる。
【００４０】
以上のように、本実施の形態の携帯電話機１０は、パンフレットＢに印刷された２次元バーコード１を撮像するカメラ３３と、撮像された２次元バーコードを復元する制御部３１と、復元した２次元バーコードの情報を表示する表示部３５と、復元した２次元バーコードの情報を記憶する記憶メモリ３２とを備えて構成したので、パンフレット等に記載された２次元バーコードを読み取ってデジタルデータとして取り込むことができ、取り込んだデータは携帯電話機１０の表示画面に表示あるいは保存することができる。
【００４１】
展示品等についての情報を載せた２次元バーコードを読み取り、表示機能を使用することによって、個々人の手元で情報を閲覧することができる。例えば、美術館、博物館、動物園、ギャラリー、ショーなどで個々人が展示品の説明をパーソナルデータとして、手元で自由に閲覧することが可能になる。また、情報をデジタルデータとして提供（受けとり）することが簡単にできる。
【００４２】
以上の説明は本発明の好適な実施の形態の例証であり、本発明の範囲はこれに限定されることはない。
なお、上記実施の形態では、携帯電話機、ＰＨＳ等の携帯電話に適用した例であるが、ＰＤＡやデジタルカメラにも適用可能である。また、携帯パソコン等の情報処理装置等の制御にも応用できる。また、２次元バーコードデータは、どのようなデータであってもよい。
【００４３】
また、上記実施の形態では、２次元バーコードを展示品のパンフレットに付した例で説明したが、２次元バーコードが付された印刷媒体であれば何でもよく、例えば、街頭や折込で配布されるチラシ、ポスターなどのほか、小冊子、写真集などの書籍や書物であってもよい。また、前記２次元バーコードが印刷媒体に付されていればよく、シール等で貼り付けたものでもよい。さらに、印刷媒体の材質は紙には限定されない。
【００４４】
また、本実施の形態では、携帯端末装置、情報提供システムという名称を用いたが、これは説明の便宜上であり、パーソナル案内システム、通信端末装置や情報提供方法等でもよいことは勿論である。
また、上記携帯端末装置及び情報提供システムを構成する各回路部、例えば記憶部や表示部の種類、数及び接続方法などは前述した実施の形態に限られない。
【００４５】
また、以上説明した携帯端末装置は、この携帯端末装置を機能させるためのプログラムでも実現される。このプログラムはコンピュータで読み取り可能な記録媒体に格納されている。本発明では、この記録媒体として、図３に示されている制御部３１のメインメモリそのものがプログラムメディアであってもよいし、また外部記憶装置としてＣＤ−ＲＯＭドライブ等のプログラム読み取り装置が設けられ、そこに記録媒体を挿入することで読み取り可能なＣＤ−ＲＯＭ等のプログラムメディアであってもよい。いずれの場合でも、格納されているプログラムは制御部３１のＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め各装置に格納されているものとする。
【００４６】
ここで、上記プログラムメディアは、通信端末装置又は情報処理装置と分離可能に構成される記録媒体であり、磁気テープやカセットテープ等の磁気ディスクやＣＤ−ＲＯＭ、ＣＤ−Ｒ／ＲＷ、ＭＯ、ＭＤ、ＤＶＤ−ＲＯＭ、ＤＶＤ−ＲＡＭ、ＤＶＤ−ＲＷ等の光ディスクのディスク系、ＰＣカード、コンパクトフラッシュカード、スマートメディア、ＩＣカード、ＳＤカード、メモリースティック等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００４７】
さらに、インターネット接続プロバイダ又は携帯メールサービス等の外部の通信ネットワークとの接続が可能な通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め格納しておくか、あるいは別な記録楳体からインストールされるものであってもよい。なお、記録媒体に格納されている内容としてはプログラムに限定されず、データであってもよい。
【００４８】
【発明の効果】
以上、詳述したように、本発明によれば、２次元バーコードの情報をデジタルデータとして携帯端末装置に取り込むことができ、混雑している場所などでパーソナル案内として利用することができる。また、パーソナルデータ化することにより、情報利用を簡単にすることができる。
【００４９】
例えば、大変混雑している美術館、博物館、動物園、ギャラリー、ショーなどで個々人が展示品に関する情報や説明をパーソナルデータとして手元で自由にゆっくりと閲覧することができるようになる。また、情報をデジタルデータとして提供（受けとり）することができる。
【図面の簡単な説明】
【図１】本発明の実施の形態の情報提供システムで用いられる２次元バーコードの読み込みと復元を説明する図である。
【図２】本実施の形態の携帯端末装置の外観を示す図である。
【図３】本実施の形態のカメラ付き携帯電話機に組込んだ場合のブロック図である。
【図４】本実施の形態の携帯端末装置の２次元バーコードの復元を示すフローチャートである。
【図５】本実施の形態の携帯端末装置の２次元バーコードの復元手順を示すフローチャートである。
【図６】本実施の形態の携帯電話機の使用方法を説明する図である。
【符号の説明】
１　２次元バーコード
２　展示品の表示番号
３　作者名
４　作品名
１０　カメラ付き携帯電話機（携帯端末装置）
１０ａ　携帯電話機本体
１１，３７　アンテナ
１２，３３　カメラ（撮像手段）
１３，３４　ライト
１４，３９　スピーカ
１５，３５　ＬＣＤ表示部（表示手段）
１６　電源キー
１７　電話機能キー
１８　モードキー
１９　カーソルキー
２０　シャッターキー
２１　ライトＯＮ／ＯＦＦボタン
２２　ダイヤルキー
２３，４０　マイク
３１　制御部（バーコード復元手段）
３２　記憶メモリ（記憶手段）
３６　キー入力部
５０　美術館の展示場
６０　絵画
７０　多数の人
７０ａ　ユーザ
Ａ，Ｂ　２次元バーコード付きパンフレット（媒体，印刷媒体）
【図１】
2004126942.tif 000003
【図２】
2004126942.tif 000004
【図３】
2004126942.tif 000005
【図４】
2004126942.tif 000006
【図５】
2004126942.tif 000007
【図６】
2004126942.tif 000008